(57)【要約】      （修正有）【課題】蚕の飼育に適した環境を容易に作ると共に蚕を病気から守り、蚕の飼育管理作業の簡素化及び生産効率の向上を図る飼育具の提供。【解決手段】蚕の飼育具は、上面が開口された扁平な箱形状を有する１〜３齢用飼育容器１１と、１〜３齢用飼育容器１１の底面に敷設され、１〜３齢の蚕及び飼料を載置可能な１〜３齢用ネット１２と、１〜３齢用ネット１２が敷設された１〜３齢用飼育容器１１を収容可能な大きさを有すると共に、該飼育容器１１が通過可能且つ密閉可能な出入口１６を有し、該飼育容器１１の上面の開口に対応する部分に多数の小孔を有する１〜３齢用ビニル袋１３と、により構成される１〜３齢用飼育ケージ１０を備えていることを特徴とする。【選択図】図１
2017135997.tif 000002
【特許請求の範囲】
【請求項１】
上面が開口された扁平な箱形状を有する１〜３齢用飼育容器と、
該１〜３齢用飼育容器の底面に敷設され、１〜３齢の蚕及び飼料を載置可能な１〜３齢用ネットと、
該１〜３齢用ネットが敷設された前記１〜３齢用飼育容器を収容可能な大きさを有すると共に、該飼育容器が通過可能且つ密閉可能な出入口を有し、該飼育容器の上面の開口に対応する部分に多数の小孔を有する１〜３齢用ビニル袋と、
により構成される１〜３齢用飼育ケージを備えていることを特徴とする蚕の飼育具。
【請求項２】
上面が開口された箱形状を有する４〜５齢用飼育容器と、
該４〜５齢用飼育容器の内部において該飼育容器の底面から上方に所定の空間を隔てて支持され、４〜５齢の蚕より小さい孔を多数有する紙と、
該紙上に配置され、４〜５齢の蚕及び飼料を載置可能な４〜５齢用ネットと、
前記４〜５齢用飼育容器の上面の開口を覆うように該飼育容器に着脱可能に設けられる４〜５齢用ビニルシートと、
により構成される４〜５齢用飼育ケージを備え、前記４〜５齢用飼育容器の側面には、前記空間に連通するように換気口が形成されていることを特徴とする蚕の飼育具。
【請求項３】
前記換気口の側縁部から内側に突出する側面折曲片を備え、該側面折曲片により前記紙及び前記４〜５齢用ネットが支持されることを特徴とする請求項２に記載の蚕の飼育具。
【請求項４】
前記４〜５齢用飼育容器は、内部を複数に分割するように仕切る仕切板を有し、該仕切板により前記紙及び前記４〜５齢用ネットが支持されることを特徴とする請求項２又は３に記載の蚕の飼育具。
【請求項５】
前記４〜５齢用飼育容器には、前記換気口より上方において前記４〜５齢用飼育容器の角部から内側に突出する角部折曲片が形成され、該角部折曲片部によって前記紙及び前記４〜５齢用ネットが固定されることを特徴とする請求項２〜４のいずれかの請求項に記載の蚕の飼育具。
【請求項６】
前記４〜５齢用飼育容器には、前記角部折曲片を形成することで前記角部に掛止部が凹状に形成され、該掛止部を介して前記４〜５齢用ビニルシートが前記４〜５齢用飼育容器に着脱可能となっていることを特徴とする請求項５に記載の蚕の飼育具。
【請求項７】
上面が開口された扁平な箱形状を有する上蔟用飼育容器と、
該上蔟用飼育容器の底面に載置される上蔟用スペーサーと、
該上蔟用スペーサーを介して前記上蔟用飼育容器の底面から所定の高さに支持される蔟と、
前記上蔟用飼育容器を収容し、該飼育容器の上面の開口に対応する部分に多数の小孔を有する上蔟用ネットと、
により構成される上蔟用飼育ケージを備えていることを特徴とする蚕の飼育具。
【請求項８】
１〜３齢用飼育容器内に敷設された１〜３齢用ネット上に蚕及び飼料を載置した状態で、多数の小孔を有する１〜３齢用ビニル袋内に収容し、前記飼料を保湿させて前記蚕を成育させる工程と、
前記１〜３齢用ビニル袋内に収容された前記１〜３齢用飼育容器を該１〜３齢用ビニル袋から取り出し、前記飼料を乾燥させて前記蚕を脱皮させる工程と、
をそれぞれ交互に３回繰り返す１〜３齢の蚕の飼育方法を含むことを特徴とする蚕の飼育方法。
【請求項９】
４〜５齢用飼育容器内に支持された４〜５齢用ネット上に蚕及び飼料を載置した状態で、前記４〜５齢用飼育容器の上面の開口を４〜５齢用ビニルシートで覆って前記飼料を保湿させると共に前記４〜５齢用飼育容器の底面と前記４〜５齢用ネットとの間の空間を利用して該４〜５齢用飼育容器内を換気しながら、前記蚕を成育させる工程と、
前記４〜５齢用飼育容器から前記４〜５齢用ビニルシートを取り外し、前記飼料を乾燥させて前記蚕を脱皮させる工程と、
を交互に行う４〜５齢の蚕の飼育方法を含むことを特徴とする蚕の飼育方法。
【請求項１０】
４齢から５齢前半期までは、前記４〜５齢用ネットの下方に４〜５齢の蚕より小さい孔を多数有する紙を配置し、５齢後半期は、該紙を取り外すことを特徴とする請求項９に記載の蚕の飼育方法。
【請求項１１】
熟蚕を載置した４〜５齢用ネットを上蔟用飼育容器の底面に移設した後、上蔟用スペーサーを介して上蔟用飼育容器の底面から所定の高さに蔟を支持し、上蔟用飼育容器の上面の開口を上蔟用ネットで覆う上蔟用飼育方法を含むことを特徴とする蚕の飼育方法。
【発明の詳細な説明】
【技術分野】
【０００１】
本発明は、大量の蚕を飼育するための飼育具及び飼育方法に関するものである。
【背景技術】
【０００２】
従来、蚕の繭から絹糸を生産することはよく知られているが、近年、繭から得たタンパク質を化粧品や医薬品等に利用することも行われており、様々な用途での繭の利用が期待されている。
【０００３】
蚕は、１齢期から合計４回の脱皮を繰り返し、それぞれの脱皮の度に１齢増え、５齢の後期に繭を作り始める。この間、蚕の成育に差が生じると、繭になる時期が蚕によって異なってしまい、繭の生産効率が低下する要因になる。
【０００４】
そこで、従来の蚕の飼育方法として、４回の脱皮の直前の一定期間、蚕が飼料を食べることができないように飼料を乾燥させることで、蚕の成育速度を揃える飼育方法が知られている。また、この種の蚕の飼育方法を行うため、いろいろな飼育具が提案されている。
【０００５】
例えば、特許文献１には、平板状のパレットにシート状に形成した養蚕用飼料を敷き、その上にネットを配設して蚕を収容した養蚕用ベッドを無菌室に重畳して配置する発明が記載されている。
【０００６】
また、特許文献２には、蛇腹状のネット基材を通気性及び視認性のある目の細かいネットで被覆した飼育容器に関する発明が記載されている。
【先行技術文献】
【特許文献】
【０００７】
【特許文献１】特開２００４−１２９５４６号公報
【特許文献２】特開２０１１−７８３６１号公報
【発明の概要】
【発明が解決しようとする課題】
【０００８】
しかしながら、上記した特許文献１や特許文献２に記載の発明では、パレットや飼育容器を繰り返し使用するため、蚕が病気に感染する可能性がある。また、蚕が飼料を食べることのできる飼料の保湿状態と、蚕が飼料を食べることのできない飼料の乾燥状態と、を繰り返しコントロールすることが難しいため、蚕の飼育管理作業の簡素化や生産効率の向上を図り難いといった問題がある。
【０００９】
本発明は、上記した課題を解決すべくなされたものであり、蚕の飼育に適した環境を容易に作ると共に蚕を病気から守り、蚕の飼育管理作業の簡素化及び繭の生産効率の向上を図ることのできる蚕の飼育具及び飼育方法を提供することを目的とする。
【課題を解決するための手段】
【００１０】
上記した目的を達成するため、本発明に係る蚕の飼育具は、上面が開口された扁平な箱形状を有する１〜３齢用飼育容器と、該１〜３齢用飼育容器の底面に敷設され、１〜３齢の蚕及び飼料を載置可能な１〜３齢用ネットと、該１〜３齢用ネットが敷設された前記１〜３齢用飼育容器を収容可能な大きさを有すると共に、該飼育容器が通過可能且つ密閉可能な出入口を有し、該飼育容器の上面の開口に対応する部分に多数の小孔を有する１〜３齢用ビニル袋と、により構成される１〜３齢用飼育ケージを備えていることを特徴とする。
【００１１】
また、本発明に係る蚕の飼育具は、上面が開口された箱形状を有する４〜５齢用飼育容器と、該４〜５齢用飼育容器の内部において該飼育容器の底面から上方に所定の空間を隔てて支持され、４〜５齢の蚕より小さい孔を多数有する紙と、該紙上に配置され、４〜５齢の蚕及び飼料を載置可能な４〜５齢用ネットと、前記４〜５齢用飼育容器の上面の開口を覆うように該飼育容器に着脱可能に設けられる４〜５齢用ビニルシートと、により構成される４〜５齢用飼育ケージを備え、前記４〜５齢用飼育容器の側面には、前記空間に連通するように換気口が形成されていることを特徴とする。
【００１２】
また、本発明に係る蚕の飼育具は、前記換気口の側縁部から内側に突出する側面折曲片を備え、該側面折曲片により前記紙及び前記４〜５齢用ネットが支持されることを特徴とする。
【００１３】
また、本発明に係る蚕の飼育具において、前記４〜５齢用飼育容器は、内部を複数に分割するように仕切る仕切板を有し、該仕切板により前記紙及び前記４〜５齢用ネットが支持されることを特徴とする。
【００１４】
また、本発明に係る蚕の飼育具において、前記４〜５齢用飼育容器には、前記換気口より上方において前記４〜５齢用飼育容器の角部から内側に突出する角部折曲片が形成され、該角部折曲片部によって前記紙及び前記４〜５齢用ネットが固定されることを特徴とする。
【００１５】
また、本発明に係る蚕の飼育具において、前記４〜５齢用飼育容器には、前記角部折曲片を形成することで前記角部に掛止部が凹状に形成され、該掛止部を介して前記４〜５齢用ビニルシートが前記４〜５齢用飼育容器に着脱可能となっていることを特徴とする。
【００１６】
また、本発明に係る蚕の飼育具は、上面が開口された扁平な箱形状を有する上蔟用飼育容器と、該上蔟用飼育容器の底面に載置される上蔟用スペーサーと、該上蔟用スペーサーを介して前記上蔟用飼育容器の底面から所定の高さに支持される蔟と、前記上蔟用飼育容器を収容し、該飼育容器の上面の開口に対応する部分に多数の小孔を有する上蔟用ネットと、により構成される上蔟用飼育ケージを備えていることを特徴とする。
【００１７】
本発明に係る蚕の飼育方法は、１〜３齢用飼育容器内に敷設された１〜３齢用ネット上に蚕及び飼料を載置した状態で、多数の小孔を有する１〜３齢用ビニル袋内に収容し、前記飼料を保湿させて前記蚕を生育させる工程と、前記１〜３齢用ビニル袋内に収容された前記１〜３齢用飼育容器を該１〜３齢用ビニル袋から取り出し、前記飼料を乾燥させて前記蚕を脱皮させる工程と、をそれぞれ交互に３回繰り返す１〜３齢の蚕の飼育方法を含むことを特徴とする。
【００１８】
また、本発明に係る蚕の飼育方法は、４〜５齢用飼育容器内に支持された４〜５齢用ネット上に蚕及び飼料を載置した状態で、前記４〜５齢用飼育容器の上面の開口を４〜５齢用ビニルシートで覆って前記飼料を保湿させると共に前記４〜５齢用飼育容器の底面と前記４〜５齢用ネットとの間の空間を利用して該４〜５齢用飼育容器内を換気しながら、前記蚕を生育させる工程と、前記４〜５齢用飼育容器から前記４〜５齢用ビニルシートを取り外し、前記飼料を乾燥させて前記蚕を脱皮させる工程と、を交互に行う４〜５齢の蚕の飼育方法を含むことを特徴とする。
【００１９】
また、本発明に係る蚕の飼育方法において、４齢から５齢前半期までは、前記４〜５齢用ネットの下方に４〜５齢の蚕より小さい孔を多数有する紙を配置し、５齢後半期は、該紙を取り外すことを特徴とする。
【００２０】
また、本発明に係る蚕の飼育方法は、熟蚕を載置した４〜５齢用ネットを上蔟用飼育容器の底面に移設した後、上蔟用スペーサーを介して上蔟用飼育容器の底面から所定の高さに蔟を支持し、上蔟用飼育容器の上面の開口を上蔟用ネットで覆う上蔟用飼育方法を含むことを特徴とする。
【発明の効果】
【００２１】
本発明に係る蚕の飼育具及び飼育方法によれば、蚕の飼育に適した環境を容易に作ることができ、蚕を病気から守ることができ、蚕の飼育管理作業の簡素化及び繭の生産効率の向上を図ることができる等、種々の優れた効果を得ることができる。
【図面の簡単な説明】
【００２２】
【図１】本発明の実施の形態に係る蚕の飼育具の１〜３齢用飼育ケージを示す断面図である。
【図２】本発明の実施の形態に係る蚕の飼育具の１〜３齢用飼育ケージを示す断面図である。
【図３】本発明の実施の形態に係る蚕の飼育具の１〜３齢用飼育容器を示す斜視図である。
【図４】本発明の実施の形態に係る蚕の飼育具の１〜３齢用飼育ケージを示す斜視図である。
【図５】本発明の実施の形態に係る蚕の飼育具の１〜３齢用ビニル袋を示す斜視図である。
【図６】本発明の実施の形態に係る蚕の飼育具の４〜５齢用飼育ケージを示す断面図である。
【図７】本発明の実施の形態に係る蚕の飼育具の４〜５齢用飼育容器を示す斜視図である。
【図８】本発明の実施の形態に係る蚕の飼育具の４〜５齢用飼育容器を示す平面図である。
【図９】本発明の実施の形態に係る蚕の飼育具の４〜５齢用飼育容器を示す側面図である。
【図１０】本発明の実施の形態に係る蚕の飼育具の４〜５齢用飼育ケージを示す斜視図である。
【図１１】本発明の実施の形態に係る蚕の飼育具の上蔟用飼育ケージを示す斜視図である。
【図１２】本発明の実施の形態に係る蚕の飼育具の上蔟用飼育容器を示す斜視図である。
【図１３】本発明の実施の形態に係る蚕の飼育具の上蔟用スペーサーを示す斜視図である。
【図１４】本発明の実施の形態に係る蚕の飼育具の上蔟用飼育ケージを示す斜視図である。
【図１５】本発明の実施の形態に係る蚕の飼育方法を示す図である。
【発明を実施するための形態】
【００２３】
以下、図面を参照しつつ、本発明の実施の形態について説明する。
【００２４】
まず、図１〜図１４を参照しつつ、本発明の実施の形態に係る蚕の飼育具について説明する。ここで、図１は本発明の実施の形態に係る蚕の飼育具の１〜３齢用飼育ケージを示す断面図、図２は本発明の実施の形態に係る蚕の１〜３齢用飼育ケージを示す断面図、図３は本発明の実施の形態に係る蚕の飼育具の１〜３齢用飼育容器を示す斜視図、図４は本発明の実施の形態に係る蚕の飼育具の１〜３齢用飼育ケージを示す斜視図、図５は本発明の実施の形態に係る蚕の飼育具の１〜３齢用ビニル袋を示す斜視図、図６は本発明の実施の形態に係る蚕の飼育具の４〜５齢用飼育ケージを示す断面図、図７は本発明の実施の形態に係る蚕の飼育具の４〜５齢用飼育容器を示す斜視図、図８は本発明の実施の形態に係る蚕の飼育具の４〜５齢用飼育容器を示す平面図、図９は本発明の実施の形態に係る蚕の飼育具の４〜５齢用飼育容器を示す側面図、図１０は本発明の実施の形態に係る蚕の飼育具の４〜５齢用飼育ケージを示す斜視図、図１１は本発明の実施の形態に係る蚕の飼育具の上蔟用飼育ケージを示す斜視図、図１２は本発明の実施の形態に係る蚕の飼育具の上蔟用飼育容器を示す斜視図、図１３は本発明の実施の形態に係る蚕の飼育具の上蔟用スペーサーを示す斜視図、図１４は本発明の実施の形態に係る蚕の飼育具の上蔟用飼育ケージを示す斜視図である。
【００２５】
本発明の実施の形態に係る蚕の飼育具は、蚕が１齢期から合計４回の脱皮を繰り返し、最終の５齢期に繭を作るまで使用するものであり、１〜３齢用飼育ケージ１０と、４〜５齢用飼育ケージ２０と、上蔟用飼育ケージ４０と、を備えている。
【００２６】
図１〜図５に示されているように、１〜３齢用飼育ケージ１０は、上面が全面的に開口された扁平な箱形状を有する１〜３齢用飼育容器１１と、１〜３齢用飼育容器１１の内部に敷設される１〜３齢用ネット１２と、１〜３齢用ネット１２が敷設された１〜３齢用飼育容器１１を収容する１〜３齢用ビニル袋１３と、により構成されている。
【００２７】
１〜３齢用飼育容器１１は、紙製で、矩形状の底面１４の四辺から外側傾斜姿勢で上方に延出する４つの側面１５を有しており、底面１４及び各側面１５の内面には撥水加工が施されているのが好ましい。１〜３齢用飼育容器１１の底面１４は４３０ｍｍの長さと３００ｍｍの幅を有しており、１〜３齢用飼育容器１１の各側面１５は４０ｍｍの高さを有している。
【００２８】
１〜３齢用ネット１２は、樹脂製で、１〜３齢用飼育容器１１の底面１４に載置可能な矩形状を有している。１〜３齢用ネット１２は、線径が約１ｍｍで、ピッチが３．９ｍｍに形成されており、１〜３齢の蚕及び飼料を載置可能となっている。
【００２９】
１〜３齢用ビニル袋１３は、塩化ビニル製で、１〜３齢用ネット１２が敷設された１〜３齢用飼育容器１１を収容可能な大きさを有し、５８０ｍｍの長さと４００ｍｍの幅を有している。１〜３齢用ビニル袋１３には、１〜３齢用飼育容器１１が通過可能な出入口１６が開口されている。この出入口１６にはチャック１７が取り付けられ、チャック１７によって出入口１６を密閉可能となっている。また、１〜３齢用ビニル袋１３には、１〜３齢用飼育容器１１の上面の開口に対応する部分に多数の小孔が形成されている。この小孔は、孔径が約２ｍｍで、ピッチが約１５ｍｍに形成されている。
【００３０】
図６〜図１０に示されているように、４〜５齢用飼育ケージ２０は、上面が全面的に開口された箱形状を有する４〜５齢用飼育容器２１と、４〜５齢用飼育容器２１の内部に支持される紙２２と、４〜５齢用飼育容器２１の内部において紙２２の上方に配置される４〜５齢用ネット２３と、４〜５齢用飼育容器２１の上面の開口を覆うように該飼育容器２１に着脱可能に設けられる４〜５齢用ビニルシート２４と、により構成されている。
【００３１】
４〜５齢用飼育容器２１は、段ボール製であり、矩形状のトレイ２５と、トレイ２５の外周縁上に起立するように形成される外周側面２６と、外周側面２６の内部を複数（例えば、１２個）の小空間２７に分割するように仕切る仕切板２８と、を備えて構成されている。４〜５齢用飼育容器２１は、７３０ｍｍの長さと６１０ｍｍの幅と１３５ｍｍの高さの外形寸法を有している。なお、４〜５齢用飼育容器２１は、組み立て式で、平板状に折り畳み可能に形成されているため、保管時の収納スペースを縮小することができる。
【００３２】
紙２２は、撥水加工が施されているのが好ましい。トレイ２５は、矩形板状の底面２９と、底面２９の四辺から鉛直姿勢で上方に僅かに延出する立上り部３０と、により構成されている。
【００３３】
外周側面２６の下部には、矩形状の換気口３１が複数（例えば、１４個）形成されており、換気口３１は仕切板２８によって仕切られた各小空間２７に連通している。換気口３１は、外周側面２６において左右いずれか一側縁部を残して三辺を切り欠き、該一側縁部に沿って内側に折り曲げることにより、形成される。この時、内側に折り曲げられた部分は、中央部でさらに山型に折り曲げられ、これにより、内側に突出する側面折曲片３２が形成される。
【００３４】
仕切板２８は、その上端が側面折曲片３２の上端と同一高さに形成されており、側面折曲片３２と共に紙２２及び４〜５齢用ネット２３を支持するようになっている。仕切板２８には、各小空間２７を臨む部分に、複数（例えば、１７個）の通孔３３が形成されており、これらの通孔３３を介して各小空間２７が連通している。
【００３５】
外周側面２６の４つの角部３４には、それぞれ、換気口３１より上方に角部折曲片３５が内側に突出するように形成されている。角度折曲片３５は、角部３４に上下平行な切れ込みを形成し、内側に押し込むことによって形成されている。角部折曲片３５の中央部には水平な切れ込み５０がさらに形成されており、仕切板２８と側面折曲片３２に支持された紙２２及び４〜５齢用ネット２３をこの切れ込み５０に挟み込むことにより固定できるようになっている。また、この角部折曲片３５を形成することにより、４つの角部３４に掛止部３６が凹状に形成されている。
【００３６】
紙２２は、仕切板２８と側面折曲片３２によりトレイ２５の底面２９から上方に所定の空間を隔てた高さに支持される。紙２２は、矩形状を成し、７００ｍｍの長さと５３０ｍｍの幅を有している。紙２２には、４〜５齢の蚕より小さい内径２ｍｍの小孔が１０ｍｍ×２０ｍｍのピッチで多数（例えば、３０００個）形成されている。
【００３７】
４〜５齢用ネット２３は、樹脂製で、紙２２上に載置可能な矩形状を有している。４〜５齢用ネット１２は、線径が約１ｍｍで、ピッチが６．４ｍｍに形成されており、４〜５齢の蚕及び飼料を載置可能となっている。
【００３８】
４〜５齢用ビニルシート２４は、塩化ビニル製で、１２５０ｍｍの長さと９５０ｍｍの幅を有している。４〜５齢用ビニル袋２４は、掛止部３６にゴムバンドを掛けることにより、４〜５齢用飼育容器２１の上面の開口を覆った状態で固定可能となっている。
【００３９】
図１１〜図１４に示されているように、上蔟用飼育ケージ４０は、上面が全面的に開口された扁平な箱形状を有する上蔟用飼育容器４１と、上蔟用飼育容器４１の底面４２に載置される上蔟用スペーサー４３と、上蔟用スペーサー４３を介して上蔟用飼育容器４１の底面４２から所定の高さに支持される蔟４４と、上蔟用飼育容器４１の上面の開口を覆うように設けられる上蔟用ネット４５と、により構成されている。
【００４０】
上蔟用飼育容器４１は、段ボール製で、矩形板状の底面４２と、底面４２の四辺から鉛直姿勢で上方に僅かに延出する立上り部４７と、により構成され、底面４２及び立上り部４７の内面には撥水加工が施されているのが好ましい。上蔟用飼育容器４１の底面４２は１１５０ｍｍの長さと８３０ｍｍの幅を有しており、上蔟用飼育容器４１の立上り部４７は５０ｍｍの高さを有している。
【００４１】
上蔟用スペーサー４３は、図１３に良く示されているように、１枚の段ボールの左右側からそれぞれ水平な切り込みを入れ、上下それぞれ同一方向且つ異なる角度に折り曲げることにより形成され、略９０度を成すように折り曲げられた下片部４８と、コの字状に折り曲げられた上片部４９と、により構成されている。上蔟用スペーサー４３は、縦横それぞれ１０５ｍｍの長さを有し、５０ｍｍの高さを有している。下片部４８は、２０ｍｍの高さを有し、上蔟用飼育容器４１の底面４２と蔟４４との間に介装される。これにより、蔟４４は、上蔟用飼育容器４１の底面４６から２０ｍｍの高さに支持される。
【００４２】
蔟４４は、段ボール製で格子状に形成されており、蔟用飼育容器４１の内部に４枚並置可能な大きさを有している。蔟４４の格子には上蔟用スペーサー４３の上片部４９が挿入可能となっている。
【００４３】
上蔟用ネット４５は、樹脂製で、１２００ｍｍの長さと１０００ｍｍの幅を有し、約４ｍｍ×５ｍｍの小孔が多数形成されている。
【００４４】
次に、図１〜図１４に加えて図１５を参照しつつ、本発明の実施の形態に係る蚕の飼育方法について説明する。ここで、図１５は本発明の実施の形態に係る蚕の飼育方法を示す図である。
【００４５】
まず、卵から孵化した１齢の蚕及び飼料を、１〜３齢用飼育容器１１内に敷設された１〜３齢用ネット１２上に載置した状態で、１〜３齢用ビニル袋１３内に収容させる。１〜３齢用ビニル袋１３内は、図１中において矢印で示すように小孔を介して換気されることで、適度な多湿環境（例えば、相対湿度８５％以上）に保持され、飼料が保湿状態となるため、蚕はその飼料を食べて成育する。この場合、１〜３齢用飼育容器１１の内面に撥水加工が施されている場合には、１〜３齢用飼育容器１１が飼料から発生する水分を吸収して型崩れする虞はない。
【００４６】
次いで、１〜３齢用ビニル袋１３のチャック１７を操作して開放した出入口１６を介して、１〜３齢用ネット１２上に１齢の蚕及び飼料が載置された１〜３齢用飼育容器１１を、１〜３齢用ビニル袋１３から取り出し、約２５℃の温度及び約５０％の相対湿度に調整された室内環境下に置き、飼料を乾燥させて成長の早い蚕に飼料を食べられなくさせることで、成育を揃える。その後、１齢の蚕は１回目の脱皮を行って２齢の蚕になる。
【００４７】
また、２齢の蚕及び３齢の蚕についても、上記した１齢の蚕と同様の方法で飼育することにより、２齢の蚕及び３齢の蚕は、それぞれ、２回目及び３回目の脱皮を行って３齢及び４齢の蚕に成育する。
【００４８】
次に、４〜５齢用飼育容器２１の内部において仕切板２８及び側面折曲片３２の上に紙２２と４〜５齢用ネット２３を順に重ねるように敷き、この４〜５齢用ネット２３上に上記したように成育した４齢の蚕及び飼料を載置させる。そして、４〜５齢用飼育容器２１の上面の開口を４〜５齢用ビニルシート２４で覆い、４〜５齢用ビニルシート２４の四隅を掛止部３６にゴムバンドで固定する。４〜５齢用飼育ケージ２０内は、図６中において矢印で示すように、換気口３１、通孔３３、紙２２の小孔及び４〜５齢用ネット２３を介して換気されることで、適度な多湿環境（例えば、相対湿度８５％以上）に保持され、飼料が保湿状態となるため、蚕はその飼料を食べて成育する。
【００４９】
この間、紙２２及び４〜５齢用ネット２３は、仕切板２８及び側面折曲片３２によって支持されると共に四隅を角部折曲片３５により固定されるため、蚕の飼育中にずれたり、撓んだりすることがない。また、４〜５齢用ビニルシート２４は、四隅でゴムバンドにより掛止部３６に固定されているため、蚕の飼育中に外れたり、撓んだりすることがない。さらに、４〜５齢用ネット２３の下方に紙２２を敷くことで、４〜５齢用ネット２３を通過して落下した蚕がトレイ２５の底面２９まで落下するのを防止することができる。
【００５０】
次いで、４〜５齢用ビニルシート２４を取り外し、４〜５齢用ネット２３上に４齢の蚕及び飼料が載置された４〜５齢用飼育容器２１を、約２５℃の温度及び約５０％の相対湿度に調整された室内環境下に置き、飼料を乾燥させることで、蚕の成育を揃える。その後、４齢の蚕は４回目の脱皮を行って５齢の蚕になる。
【００５１】
また、５齢の蚕についても、その前半期は、上記した４齢の蚕と同様の方法で飼育する。４齢から５齢前半期までの蚕の糞は４〜５齢用ネット２３から落下して紙２２上に堆積するため、糞の掃除は、５齢以降に紙２２を取り外して糞を捨てることにより行う。
【００５２】
一方、蚕が５齢後半期まで成育すると、蚕が大きくなり、蚕が４〜５齢用ネット２３から落下する虞がなくなるため、紙２２をトレイ２５の底面２９上に移して蚕を飼育する。この場合、蚕の糞は紙２２に落下するため、糞の掃除は、紙２２に堆積した糞を捨てることにより行う。なお、５齢では脱皮が無く蚕の成育速度を揃える必要がないため、飼料は常に多湿環境下において保湿状態に保持される。
【００５３】
このようにして熟蚕となった蚕は、４〜５齢用ネット２３上に載置された状態で上蔟用飼育容器４１の底面４２に移設される。その後、上蔟用スペーサー４３を介して４枚の蔟４４を底面４２に並置し、上蔟用飼育容器４１の上面の開口を上蔟用ネット４５で覆う。この時、上蔟用スペーサー４３は、各蔟４４の四隅に配置され、上蔟用スペーサー４３の下片部４８が底面４６と蔟４４の間に介装される。これにより、蔟４４は上蔟用飼育容器４１の底面４６から所定（例えば２０ｍｍ）の高さに支持される。また、上蔟用スペーサー４３の上片部４９は各蔟の四隅の格子に挿入され、これにより、上蔟用スペーサー４３は各蔟４４に取り付けられる。
【００５４】
このように組み立てられた上蔟用飼育容器４１は、約２５℃の温度及び約５０％の相対湿度に調整された室内環境下に置かれ、熟蚕となった蚕は上蔟用飼育容器４１の底面４２から蔟４４に登り、蔟４４の格子内に繭を作る。
【００５５】
この時、上蔟用飼育容器４１の上面の開口が上蔟用ネット４５で覆われているため、蚕が上蔟用飼育容器４１から逃げるのを防止することができる。また、蔟４４を上蔟用スペーサー４３を介して底面４６に支持することで、蔟４４と底面４６との間に空間を確保することができるため、底面４６に落下した尿や糞で繭が汚れるのを防止することができる。さらに、上蔟用飼育容器４１の内面に撥水加工が施されている場合には、蚕の尿が上蔟用飼育容器４１に浸透して外部に漏れる虞がない。さらにまた、上蔟用飼育容器４１は低い高さ（例えば、５０ｍｍ）に設定されているため、ラック等に多段で重ねることができ、省スペースで大量の繭を作ることができ、繭の生産効率を高めることができる。
【００５６】
上記した本発明の実施の形態に係る蚕の飼育具及び飼育方法によれば、飼育容器１１，２１に対するビニル袋１３やビニルシート２４の脱着や、飼育容器１１，２１，４１の形状及び構造によって、蚕の飼育環境（飼料の保湿や乾燥状態等）を容易に管理することができ、蚕の飼育管理作業の簡素化や生産効率の向上を図ることができる。さらに、蚕の飼育環境として重要な相対湿度を制御するために加湿設備等を設置する必要がないため、イニシャルコストやランニングコストを低減することができる。
【００５７】
また、飼育容器１１，２１，４１は、紙や段ボールにより製作され、使い捨てで使用することができる。そのため、蚕の飼育の度に新しい飼育容器１１，２１，４１を用いることにより、蚕が病気に感染するのを防止することができると共に、飼育容器１１，２１，４１の洗浄作業が不要となる。
【００５８】
また、飼育ケージ１０，２０，４０は、軽量な素材を使用し、コンパクトに形成されており、容易に取り扱うことができるため、蚕の飼育管理作業の省力化及び効率化をさらに図ることができる。
【００５９】
なお、上記した本発明の実施の形態の説明は、本発明に係る蚕の飼育具及び飼育方法における好適な実施の形態を説明しているため、材質、寸法、構造等、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６０】
１０    １〜３齢用飼育ケージ
１１    １〜３齢用飼育容器
１２    １〜３齢用ネット
１３    １〜３齢用ビニル袋
１４    底面
１６    出入口
２０    ４〜５齢用飼育ケージ
２１    ４〜５齢用飼育容器
２２    紙
２３    ４〜５齢用ネット
２４    ４〜５齢用ビニルシート
２６    外周側面
２８    仕切板
２９    底面
３１    換気口
３２    側面折曲片
３４    角部
３５    角部折曲片
３６    掛止部
４０    上蔟用飼育ケージ
４１    上蔟用飼育容器
４２    底面
４３    上蔟用スペーサー
４４    蔟
４５    上蔟用ネット
【図１】
2017135997.tif 000003
【図２】
2017135997.tif 000004
【図３】
2017135997.tif 000005
【図４】
2017135997.tif 000006
【図５】
2017135997.tif 000007
【図６】
2017135997.tif 000008
【図７】
2017135997.tif 000009
【図８】
2017135997.tif 000010
【図９】
2017135997.tif 000011
【図１０】
2017135997.tif 000012
【図１１】
2017135997.tif 000013
【図１２】
2017135997.tif 000014
【図１３】
2017135997.tif 000015
【図１４】
2017135997.tif 000016
【図１５】
2017135997.tif 000017
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
上面が開口された扁平な箱形状を有する１〜３齢用飼育容器と、
該１〜３齢用飼育容器の底面に敷設され、１〜３齢の蚕及び飼料を載置可能な１〜３齢用ネットと、
該１〜３齢用ネットが敷設された前記１〜３齢用飼育容器を収容可能な大きさを有すると共に、該飼育容器が通過可能且つ密閉可能な出入口を有し、該飼育容器の上面の開口に対応する部分に多数の小孔を有する１〜３齢用ビニル袋と、
により構成される１〜３齢用飼育ケージを備えていることを特徴とする蚕の飼育具。
【請求項２】
上面が開口された箱形状を有する４〜５齢用飼育容器と、
該４〜５齢用飼育容器の内部において該飼育容器の底面から上方に所定の空間を隔てて支持され、４〜５齢の蚕より小さい孔を多数有する紙と、
該紙上に配置され、４〜５齢の蚕及び飼料を載置可能な４〜５齢用ネットと、
前記４〜５齢用飼育容器の上面の開口を覆うように該飼育容器に着脱可能に設けられる４〜５齢用ビニルシートと、
により構成される４〜５齢用飼育ケージを備え、前記４〜５齢用飼育容器の側面には、前記空間に連通するように換気口が形成されていることを特徴とする蚕の飼育具。
【請求項３】
前記換気口の側縁部から内側に突出する側面折曲片を備え、該側面折曲片により前記紙及び前記４〜５齢用ネットが支持されることを特徴とする請求項２に記載の蚕の飼育具。
【請求項４】
前記４〜５齢用飼育容器は、内部を複数に分割するように仕切る仕切板を有し、該仕切板により前記紙及び前記４〜５齢用ネットが支持されることを特徴とする請求項２又は３に記載の蚕の飼育具。
【請求項５】
前記４〜５齢用飼育容器には、前記換気口より上方において前記４〜５齢用飼育容器の角部から内側に突出する角部折曲片が形成され、該角部折曲片部によって前記紙及び前記４〜５齢用ネットが固定されることを特徴とする請求項２〜４のいずれかの請求項に記載の蚕の飼育具。
【請求項６】
前記４〜５齢用飼育容器には、前記角部折曲片を形成することで前記角部に掛止部が凹状に形成され、該掛止部を介して前記４〜５齢用ビニルシートが前記４〜５齢用飼育容器に着脱可能となっていることを特徴とする請求項５に記載の蚕の飼育具。
【請求項７】
１〜３齢用飼育容器内に敷設された１〜３齢用ネット上に蚕及び飼料を載置した状態で、多数の小孔を有する１〜３齢用ビニル袋内に収容し、前記飼料を保湿させて前記蚕を成育させる工程と、
前記１〜３齢用ビニル袋内に収容された前記１〜３齢用飼育容器を該１〜３齢用ビニル袋から取り出し、前記飼料を乾燥させて前記蚕を脱皮させる工程と、
をそれぞれ交互に３回繰り返す１〜３齢の蚕の飼育方法を含むことを特徴とする蚕の飼育方法。
【請求項８】
４〜５齢用飼育容器内に支持された４〜５齢用ネット上に蚕及び飼料を載置した状態で、前記４〜５齢用飼育容器の上面の開口を４〜５齢用ビニルシートで覆って前記飼料を保湿させると共に前記４〜５齢用飼育容器の底面と前記４〜５齢用ネットとの間の空間を利用して該４〜５齢用飼育容器内を換気しながら、前記蚕を成育させる工程と、
前記４〜５齢用飼育容器から前記４〜５齢用ビニルシートを取り外し、前記飼料を乾燥させて前記蚕を脱皮させる工程と、
を交互に行う４〜５齢の蚕の飼育方法を含むことを特徴とする蚕の飼育方法。
【請求項９】
４齢から５齢前半期までは、前記４〜５齢用ネットの下方に４〜５齢の蚕より小さい孔を多数有する紙を配置し、５齢後半期は、該紙を取り外すことを特徴とする請求項８に記載の蚕の飼育方法。
【請求項１０】
熟蚕を載置した前記４〜５齢用ネットを上蔟用飼育容器の底面に移設した後、上蔟用スペーサーを介して前記上蔟用飼育容器の底面から所定の高さに蔟を支持し、前記上蔟用飼育容器の上面の開口を上蔟用ネットで覆う上蔟用飼育方法を含むことを特徴とする請求項８又は請求項９に記載の蚕の飼育方法。